(57)【特許請求の範囲】
【請求項１】
画像を形成する画像形成手段と、
前記画像形成手段に対向して配置され、前記画像形成手段によって形成された画像を記録媒体に転写する転写位置と、本体に対し第１回転軸を中心に回転して前記画像形成手段と離れる非転写位置と、の間を移動する転写ユニットと、
前記転写ユニットとの間に記録媒体搬送経路が形成され、前記第１回転軸を中心に回転して、本体の開口部を閉じる閉止位置と、前記開口部を開放する開放位置と、の間と移動する開閉部材と、
前記開閉部材と前記転写ユニットを連結する連結手段と、
前記開閉部材が前記開放位置に到るまでの間に前記連結手段を解除して、前記転写ユニットを単独で回転可能する解除手段と、
を備えることを特徴とする画像形成装置。
【請求項２】
前記連結手段は、
前記転写ユニットに設けられた係合部材と、
前記開閉部材に設けられ、前記係合部材に掛かる被係合部材と、を備え、
前記解除手段は、
一端部が前記第１回転軸とは異なる第２回転軸で前記本体に回転可能に取り付けられるレバー部材と、
前記開閉部材に備えられ、前記レバー部材の他端部に設けられた操作部を移動可能に保持する保持手段と、
前記開閉部材が前記開放位置へ到るまでの間に、前記レバー部材の操作部の移動により前記被係合部材を動かして前記係合部材から外す移動力変換部材と、
を備えることを特徴とする請求項１に記載の画像形成装置。
【請求項３】
前記操作部は、前記他端部から突出する突起部であって、
前記移動力変換部材は、移動する前記突起部から押圧されて前記被係合部材を動かす押圧部材であって、
前記開閉部材に設けられた保持手段は、前記突起部を移動可能に保持する長孔が形成された保持部材であることを特徴とする請求項２に記載の画像形成装置。
【請求項４】
前記開閉部材及び前記転写ユニットのうち少なくとも一方に取り付けられ、前記連結手段によって前記転写ユニットと連結されて前記閉止位置に移動した前記開閉部材を前記本体に固定させる固定部材と、
前記固定部材による固定を解除して、前記閉止位置に配置される前記開閉部材を前記開放位置まで回転可能とする固定解除部材と、
を備えることを特徴とする請求項１〜３何れか１項に記載の画像形成装置。
【請求項５】
前記解除手段は、前記回転軸に設けられたカムと、前記開閉部材に移動可能に支持され、一端部が付勢部材により前記カムのカム面に付勢される移動部材と、を備え、
前記カム面は、前記開閉部材が前記開放位置へ移動すると前記移動部材の他端部を移動させ、前記連結手段を解除させるように形成されていることを特徴とする請求項１に記載の画像形成装置。
【発明の詳細な説明】
【技術分野】
【０００１】
本発明は、搬送されるシート部材に画像を形成する画像形成装置に関する。
【背景技術】
【０００２】
特許文献１には、画像形成手段に対向して配置される転写ユニットが記載されている。そして、転写ユニットは、画像形成手段と転写ユニットの間を開放させるため、本体に回転可能に取り付けられている。また、この転写ユニットを保護すると共に、転写ユニットと連結手段で連結され、転写ユニットとは別の回転軸で回転して開放されるドアパネルが設けられている。
【０００３】
詳細には、ユーザーがドアパネルを開放させると、ドアパネルと連結手段によって連結された転写ユニットも回転する。これにより画像形成手段と転写ユニットの間が開放されるようになっている。
【０００４】
ここで、前述したようにドアパネルと転写ユニットは異なった回転軸を中心に回転する。このため、ドアパネルと転写ユニットの相対位置はずれながら回転することとなり、ドアパネルが所定の開度まで開放されると、この相対位置ずれを利用して、連結手段が解除される。
【０００５】
そして、連結手段が解除された状態で、転写ユニットを単独で回転させることで転写ユニットとドアパネルの間を開放できるようになっている。
【特許文献１】特開２００７−４７５７１号公報
【発明の開示】
【発明が解決しようとする課題】
【０００６】
本発明は、転写ユニットとドアパネル（開閉部材）を同一の回転軸上で回転させることで、スペースを有効活用するとともに、開閉部材の開放位置では転写ユニットと開閉部材との連結を解除することが課題である。
【課題を解決するための手段】
【０００７】
本発明の請求項１に係る画像形成装置は、画像を形成する画像形成手段と、前記画像形成手段に対向して配置され、前記画像形成手段によって形成された画像を記録媒体に転写する転写位置と、本体に対し第１回転軸を中心に回転して前記画像形成手段と離れる非転写位置と、の間を移動する転写ユニットと、前記転写ユニットとの間に記録媒体搬送経路が形成され、前記第１回転軸を中心に回転して、本体の開口部を閉じる閉止位置と、前記開口部を開放する開放位置と、の間と移動する開閉部材と、前記開閉部材と前記転写ユニットを連結する連結手段と、前記開閉部材が前記開放位置に到るまでの間に前記連結手段を解除して、前記転写ユニットを単独で回転可能する解除手段と、を備えることを特徴とする。
【０００８】
本発明の請求項２に係る画像形成装置は、請求項１に記載において、前記連結手段は、前記転写ユニットに設けられた係合部材と、前記開閉部材に設けられ、前記係合部材に掛かる被係合部材と、を備え、前記解除手段は、一端部が前記第１回転軸とは異なる第２回転軸で前記本体に回転可能に取り付けられるレバー部材と、前記開閉部材に備えられ、前記レバー部材の他端部に設けられた操作部を移動可能に保持する保持手段と、前記開閉部材が前記開放位置へ到るまでの間に、前記レバー部材の操作部の移動により前記被係合部材を動かして前記係合部材から外す移動力変換部材と、を備えることを特徴とする。
【０００９】
本発明の請求項３に係る画像形成装置は、請求項２に記載において、前記操作部は、前記他端部から突出する突起部であって、前記移動力変換部材は、移動する前記突起部から押圧されて前記被係合部材を動かす押圧部材であって、前記開閉部材に設けられた保持手段は、前記突起部を移動可能に保持する長孔が形成された保持部材であることを特徴とする。
【００１０】
本発明の請求項４に係る画像形成装置は、請求項１〜３何れか１項に記載において、前記開閉部材及び前記転写ユニットのうち少なくとも一方に取り付けられ、前記連結手段によって前記転写ユニットと連結されて前記閉止位置に移動した前記開閉部材を前記本体に固定させる固定部材と、前記固定部材による固定を解除して、前記閉止位置に配置される前記開閉部材を前記開放位置まで回転可能とする固定解除部材と、を備えることを特徴とする。
【００１１】
本発明の請求項５に係る画像形成装置は、請求項１に記載において、前記解除手段は、前記回転軸に設けられたカムと、前記開閉部材に移動可能に支持され、一端部が付勢部材により前記カムのカム面に付勢される移動部材と、を備え、前記カム面は、前記開閉部材が前記開放位置へ移動すると前記移動部材の他端部を移動させ、前記連結手段を解除させるように形成されていることを特徴とする。
【発明の効果】
【００１２】
本発明の請求項１の構成によれば、転写ユニットと開閉部材の回転軸が異なる構成と比して、転写ユニットと開閉部材を同一の回転軸で回転させることができ、スペースを有効活用することができるとともに、開閉部材の開放位置では転写ユニットと開閉部材との連結を解除することができる。
【００１３】
本発明の請求項２の構成によれば、操作部が移動可能に保持されるレバー部材を有しない構成と比して、操作部の移動力を利用することができ、簡易な構成で被係合部材を係合部材から外すことができる。
【００１４】
本発明の請求項３の構成によれば、長孔が形成された保持部材を有していない構成に比して、簡易な構成で、レバー部材の突起部を移動可能に保持することができる。
【００１５】
本発明の請求項４の構成によれば、本構成を有しない場合と比して、容易に固定部材を解除して開閉部材を開放させることができる。
【００１６】
本発明の請求項５の構成によれば、カムを有さない構成と比して、カムのカム面の形状に応じて移動部材を移動させることができ、容易に連結手段を解除することができる。
【発明を実施するための最良の形態】
【００１７】
以下に、本発明の第１実施形態に係る画像形成装置の一例を図１〜図１２に従って説明する。
（全体構成）
図１２に示されるように、画像形成装置１０の本体１０Ａの内部には、入力される画像データに対して所定の画像処理を行なうＩＰＳ（ＩｍａｇｅＰｒｏｃｅｓｓｉｎｇ Ｓｙｓｔｅｍ）１２が設けられている。
【００１８】
さらに、このＩＰＳ１２によって、イエロー（Ｙ）、マジェンタ（Ｍ）、シアン（Ｃ）、ブラック（Ｋ）の４色の原稿再現色材階調データに変換されたデータを受け取る露光装置１４が設けられており、この露光装置１４によって、レーザ光ＬＢによる画像露光が行われるようになっている。
【００１９】
また、イエロー（Ｙ）、マジェンタ（Ｍ）、シアン（Ｃ）、ブラック（Ｋ）の４つの画像形成ユニット１６Ｙ、１６Ｍ、１６Ｃ、１６Ｋが、水平方向に一定の間隔をおいて露光装置１４の上方に配置されている。
【００２０】
これらの４つの画像形成ユニット１６Ｙ、１６Ｍ、１６Ｃ、１６Ｋは、すべて同様に構成されており、所定の速度で回転駆動される像担持体としての感光体ドラム１８と、この感光体ドラム１８の表面を一様に帯電する一次帯電用の帯電ロール２０と、この感光体ドラム１８の表面に所定の色に対応した画像を露光して静電潜像を形成する画像露光装置としての前述した露光装置１４と、感光体ドラム１８上に形成された静電潜像を所定の色のトナーで現像する現像器２２と、感光体ドラム１８の表面を清掃するクリーニング装置２４とから構成されている。これらの感光体ドラム１８と周辺に配置される画像形成部材は、一体的にユニット化されており、画像形成装置１０の本体１０Ａから個別に交換可能に構成されている。
【００２１】
さらに、４つの画像形成ユニット１６Ｙ、１６Ｍ、１６Ｃ、１６Ｋに共通に構成された、図示しない４つの半導体レーザが設けられており、これらの半導体レーザからレーザ光ＬＢ−Ｙ、ＬＢ−Ｍ、ＬＢ−Ｃ、ＬＢ−Ｋが階調データに応じて出射されるように構成されている。
【００２２】
なお、半導体レーザから出射されたレーザ光ＬＢ−Ｙ、ＬＢ−Ｍ、ＬＢ−Ｃ、ＬＢ−Ｋは、図示しないｆ−θレンズを介してポリゴンミラー２６に照射され、このポリゴンミラー２６によって偏向走査される。このポリゴンミラー２６によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、感光体ドラム１８上の露光ポイントに、斜め下方から走査露光される。
【００２３】
この露光装置１４は、下方から感光体ドラム１８上に画像を走査露光するものであるため、この露光装置１４には、上方に位置する４つの画像形成ユニット１６Ｙ、１６Ｍ、１６Ｃ、１６Ｋの現像器２２などからトナー等が落下して、汚損される虞れを有している。そのため、露光装置１４は、その周囲が直方体状のフレーム２８によって密閉されているとともに、フレーム２８の上部には、４本のレーザ光ＬＢ−Ｙ、ＬＢ−Ｍ、ＬＢ−Ｃ、ＬＢ−Ｋを、各画像形成ユニット１６Ｙ、１６Ｍ、１６Ｃ、１６Ｋの感光体ドラム１８上に露光するため、シールド部材としての透明なガラス製のウインドウ３０Ｙ、３０Ｍ、３０Ｃ、３０Ｋが設けられている。
【００２４】
また、ＩＰＳ１２からは、イエロー（Ｙ）、マジェンタ（Ｍ）、シアン（Ｃ）、ブラック（Ｋ）の各色の画像形成ユニット１６Ｙ、１６Ｍ、１６Ｃ、１６Ｋに共通して設けられた露光装置１４に、各色の画像データが順次出力され、この露光装置１４から画像データに応じて出射されたレーザ光ＬＢ−Ｙ、ＬＢ−Ｍ、ＬＢ−Ｃ、ＬＢ−Ｋは、対応する感光体ドラム１８の表面に走査露光され、静電潜像が形成される。上記感光体ドラム１８上に形成された静電潜像は、現像器２２Ｙ、１７Ｍ、１７Ｃ、１７Ｋによって、それぞれイエロー（Ｙ）、マジェンタ（Ｍ）、シアン（Ｃ）、ブラック（Ｋ）の各色のトナー像として現像される。
【００２５】
さらに、各画像形成ユニット１６Ｙ、１６Ｍ、１６Ｃ、１６Ｋの上方にわたって配置された一次転写ユニット２１の中間転写ベルト３２上には、４つの一次転写ロール３４Ｙ、３４Ｍ、３４Ｃ、３４Ｋが設けられている。そして、この４つの一次転写ロール３４Ｙ、３４Ｍ、３４Ｃ、３４Ｋによって、画像形成ユニット１６Ｙ、１６Ｍ、１６Ｃ、１６Ｋの感光体ドラム１８上に順次形成されたイエロー（Ｙ）、マジェンタ（Ｍ）、シアン（Ｃ）、ブラック（Ｋ）の各色のトナー像が、中間転写ベルト３２上に、多重に転写される構成となっている。
【００２６】
なお、この一次転写ロール３４Ｙ、３４Ｍ、３４Ｃ、３４Ｋには、転写バイアス電源（図示しない）が接続されており、所定のトナー極性とは逆極性（本実施の形態では正極性）の転写バイアスが所定のタイミングで印加されるようになっている。
【００２７】
また、中間転写ベルト３２は、ドライブロール３６と、テンションロール３８と、バックアップロール４０との間に一定のテンションで掛け回されている。そして、図示しない定速性に優れた専用の駆動モーターによって回転駆動されるドライブロール３６により、矢印方向に所定の速度で循環駆動されるようになっている。
【００２８】
一方、中間転写ベルト３２上に多重に転写されたイエロー（Ｙ）、マジェンタ（Ｍ）、シアン（Ｃ）、ブラック（Ｋ）の各色のトナー像は、バックアップロール４０に接し、二次転写ユニット７０を構成する二次転写ロール４２によって、圧接力及び電界によって記録媒体としてのシート部材Ｐ上に二次転写され、各色のトナー像が転写されたシート部材Ｐは、上方に位置する定着器４４へと搬送される。各色のトナー像が転写されたシート部材Ｐは、定着器４４によって熱及び圧力によって定着処理を受けた後、排出ロール４６によって画像形成装置１０の本体１０Ａの上部に設けられた排出トレイ４８に排出される構成となっている。なお、二次転写ユニット７０については詳細を後述する。
【００２９】
画像形成装置１０の本体１０Ａ内の下側には、シート部材Ｐが積載される給紙カセット５０が設けられ、この給紙カセット５０に積載されたシート部材Ｐが、給紙ローラ５２及び用紙分離搬送用のローラ５４により用紙搬送経路５６を介して、二次転写ユニット７０に備えられたレジストロール５８まで一旦搬送され、停止される。そして、給紙カセット５０から供給されたシート部材Ｐは、所定のタイミングで回転するレジストロール５８によって中間転写ベルト３２の二次転写位置へ送出される構成となっている。
【００３０】
さらに、シート部材Ｐの両面に画像を形成させる場合は、定着器４４によって片面に画像が定着されたシート部材Ｐを、排出ロール４６によって排出トレイ４８上にそのまま排出せずに、図示しない切替ゲートによって搬送方向を切り替え、用紙搬送用のローラ６０を介して両面用搬送経路６２へと搬送する。そして、両面用搬送経路６２に沿って設けられた図示しない搬送用のローラにより、シート部材Ｐの表裏が反転された状態で、再度レジストロール５８へと搬送され、今度は、シート部材Ｐ の裏面に画像が転写・定着された後、排出トレイ４８上に排出される構成となっている。
【００３１】
一方、本体１０Ａ内の上側には、イエロー（Ｙ）、マジェンタ（Ｍ）、シアン（Ｃ）、ブラック（Ｋ）の各色の現像器２２に所定の色のトナーを供給するトナーカートリッジ６４Ｙ、６４Ｍ、６４Ｃ，６４Ｋが設けられている。
（要部構成）
次は、二次転写ユニット７０等について説明する。
【００３２】
前述したように、二次転写ユニット７０は二次転写ロール４２及びレジストロール５８等を含んで構成されている。また、二次転写ユニット７０と  両面用搬送経路６２を挟んで対向する位置には、画像形成装置１０の開口部１０Ｂを開放する開閉部材としてのドアパネル７２が、回転軸７４を中心に開閉可能に設けられている。
【００３３】
図１１に示されるように、二次転写ユニット７０もドアパネル７２と同一の回転軸７４を中心に回転するように構成されており、連結装置９０（図１参照）によって連結されるドアパネル７２と二次転写ユニット７０は、一体となって本体１０Ａから回転するようになっている。なお、連結装置９０については詳細を後述する。
【００３４】
さらに、連結装置９０によって連結された二次転写ユニット７０とドアパネル７２を画像形成装置１０の本体１０Ａに固定する先端部が屈曲したフック部材７６が、二次転写ユニット７０の両側面に設けられている。詳細には、シート材搬送直交方向に延びて二次転写ユニット７０の内部を貫く回転軸７８が回転可能に設けられており、この回転軸７８の両端部にフック部材７６が固定されている。また、画像形成装置１０の本体１０Ａには、フック部材７６が掛かる円柱状の引掛部材８０が設けられている。
【００３５】
さらに、フック部材７６が固定される回転軸７８には、この回転軸７８を回転させるハンドル部材８２が回転軸７８のほぼ中央部に固定設けられており、このハンドル部材８２は、ドアパネル７２に形成された開口部７２Ａを通して外側に露出している。また、この回転軸には、トーションスプリング（図示省略）が設けられており、フック部材７６は所定位置で引掛部材８０と掛かるようにこのトーションスプリングによって付勢されている。
【００３６】
つまり、ユーザーが、図１１に示す矢印Ａ方向へハンドル部材８２を回転させると、フック部材７６が矢印Ｂ方向へ回転し、引掛部材８０とフック部材７６が解除されるようになっている。フック部材７６が解除されることで、二次転写ユニット７０及びドアパネル７２は、矢印Ｃ方向へ開放されるようになっている。また、ドアパネル７２と画像形成装置１０の本体１０Ａを繋ぐように紐状のストッパー部材８４（図１参照）が設けられており、矢印Ｃ方向へ開放される二次転写ユニット７０及びドアパネル７２は、ストッパー部材８４によって決められた角度で停止するようになっている。
【００３７】
図１に示されるように、二次転写ユニット７０とドアパネル７２を連結する連結装置９０は、二次転写ユニット７０に設けられた先端部Ｌ字状の係合部材９２とこの係合部材９２が掛かる矩形状の開口部９４Ａが設けられた被係合部材としての板状のスライド部材９４とから構成されている。
【００３８】
詳細には、図４に示されるように、係合部材９２は、二次転写ユニット７０の背面（ドアパネル７２と対向する面）に凸状に一体的に設けられている。また、この係合部材９２が掛かる開口部９４Ａが設けられたスライド部材９４が、シート材搬送直交方向（図４に示す矢印Ｄ方向）に移動可能にドアパネル７２に取付部（図示省略）を介して取り付けられている。また、図示せぬ付勢部材がスライド部材９４の端部に設けられ、スライド部材９４に設けられた開口部９４Ａが係合部材９２に掛かる方向にスライド部材９４が付勢されている。
【００３９】
さらに、スライド部材９４の一端には、板状の押圧板９６が設けられている。そして、押圧板９６には、スライド部材９４の一端に固定され、上下方向に延びる板状の固定面部９６Ａと、固定面部９６Ａの上端に設けられ固定面部９６Ａから屈曲して延びる傾斜面部９６Ｂが設けられている。
【００４０】
一方、一端部が画像形成装置１０の本体１０Ａに軸部９８を中心に回転可能に支持される長尺板状のレバー部材１００が設けられており、このレバー部材１００の他端部に設けられた円柱状の突起部１０２の先端部が押圧板９６の傾斜面部９６Ｂに当るようになっている。
【００４１】
詳細には、レバー部材１００の他端部に設けられた突起部１０２は、ドアパネル７２の裏面（二次転写ユニット７０と対向する面）に設けられた板状のレール部材１０４に形成された長孔１０４Ａに移動可能に嵌められている。そして、レール部材１０４を挟んで反対側に突出した突起部１０２の先端部が傾斜面部９６Ｂに当るようになっている。
【００４２】
図１に示されるように、二次転写ロール４２が中間転写ベルト３２（図１２参照）と接してシート部材Ｐへ画像を形成する転写位置に二次転写ユニット７０が配置され、二次転写ユニット７０と連結装置９０によって連結されるドアパネル７２が二次転写ユニット７０を覆う閉止位置に配置される場合、突起部１０２の先端部と傾斜面部９６Ｂが接触するようになっている。図７（Ａ）、図８（Ａ）に示されるように、この状態では、スライド部材９４の開口部９４Ａが係合部材９２に掛かるようになっている。
【００４３】
図２に示されるように、フック部材７６を解除して、連結装置９０（図４参照）によって連結される二次転写ユニット７０とドアパネル７２を回転軸７４を中心に開放させると、レバー部材１００に設けられた突起部１０２は、レール部材１０４に形成された長孔１０４Ａ内を移動するようになっている。
【００４４】
図５に示されるように、突起部１０２が長孔１０４Ａ内を移動すると、突起部１０２が傾斜面部９６Ｂをシート材搬送直交方向（図５に示す矢印Ｅ方向）に押圧する。
【００４５】
そして、図３に示されるように、二次転写ユニット７０とドアパネル７２がストッパー部材８４によって停止すると、二次転写ユニット７０は中間転写ベルト３２と離れる非転写位置へ、ドアパネル７２は非転写位置へ移動した二次転写ユニット７０を支持する開放位置へ移動する。
【００４６】
図６に示されるように、長孔１０４Ａ内を移動した突起部１０２は、押圧板９６の傾斜面部９６Ｂを通り固定面部９６Ａへ至るようになっている。つまり、スライド部材９４が、押圧板９６を介して突起部１０２に押し切られ、これにより、図７（Ａ）（Ｂ）（Ｃ）、図８（Ａ）（Ｂ）（Ｃ）に示されるように、スライド部材９４の開口部９４Ａが移動して、係合部材９２が開口部９４から外れる構成となっている。
（作用）
例えば、図１２に示す用紙搬送経路５６又は両面用搬送経路６２でシート部材Ｐがジャムしたことを知らせる警告等が有った場合は、図１１に示されるように、ユーザーは、ドアパネル７２の開口部７２Ａから突出したハンドル部材８２を矢印Ａ方向に回転させる。
【００４７】
ハンドル部材８２を矢印Ａ方向へ回転させると、二次転写ユニット７０の両側面に設けられたフック部材７６が矢印Ｂ方向へ回転して引掛部材８０から外れる。
【００４８】
転写位置に配置される二次転写ユニット７０、及び二次転写ユニット７０と連結装置９０によって連結されて閉止位置に配置されるドアパネル７２は、回転軸７４を中心に回転可能となる。
【００４９】
そして、ユーザーは、矢印Ｃ方向へ二次転写ユニット７０及びドアパネル７２を開放し、図９、図１０に示されるように、二次転写ユニット７０及びドアパネル７２は、ストッパー部材８４によって決められた角度で停止する。このように、二次転写ユニット７０は、中間転写ベルト３２（図１２参照）と離れる非転写位置へ、ドアパネル７２は非転写位置に配置される二次転写ユニット７０を支持する開放位置へ移動する。
【００５０】
二次転写ユニット７０及びドアパネル７２が開放されることで、図４、図５、図６に示されるように、レバー部材１００の他端部に設けられた突起部１０２が、レール部材１０４に形成された長孔１０４Ａ内の一端から他端に向けて移動する。
【００５１】
突起部１０２が長孔１０４Ａ内の一端から他端に向けて移動することで、突起部１０２の先端部が押圧板９６の傾斜面部９６Ｂを押圧し、押圧板９６に固定されるスライド部材９４は、シート材搬送直交方向（図５に示す矢印Ｅ方向）へ移動する。突起部１０２の先端部が、傾斜面部９６Ｂを通過して固定面部９６Ａに至ると、スライド部材９４は停止する。
【００５２】
スライド部材９４が移動することで、図７（Ａ）（Ｂ）（Ｃ）、図８（Ａ）（Ｂ）（Ｃ）に示されるように、係合部材９２がスライド部材９４の開口部９４Ａから外れる。つまり、ドアパネル７２が開放位置へ到るまでの間に、係合部材９２がスライド部材９４の開口部９４Ａから外れる構成となっている。
【００５３】
一方、前述したように、ドアパネル７２を閉止位置から開放位置へ移動させることで、ドアパネル７２と連結装置９０にて連結される二次転写ユニット７０が、中間転写ベルト３２と離れる非転写位置へ移動する。そこで、ユーザーは、二次転写ユニット７０と本体１０Ａとの間の用紙搬送経路５６にジャムしたシート部材Ｐを除去する。
【００５４】
また、前述したように、ドアパネル７２が開放位置へ到るまでの間に、係合部材９２が開口部９４Ａから外れる。そこで、図１０に示されるように、二次転写ユニット７０を矢印Ｆ方向へ回転させ、非転写位置から転写位置へ移動させる。これにより、二次転写ユニット７０とドアパネル７２の間に形成された両面用搬送経路６２（図１２参照）が開放され、両面用搬送経路６２にジャムしたシート部材Ｐが除去される。
【００５５】
このように、二次転写ユニット７０とドアパネル７２は同一の回転軸７４で回転する。つまり、二次転写ユニット７０及びドアパネル７２に夫々の回転軸を設ける必要はない。
【００５６】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、二次転写ユニット７０に二次転写ロール４２が設けられていたが、転写ベルト等であってもよい。
【００５７】
次に本発明の第２実施形態に係る画像形成装置の一例を図１３〜図１７に従って説明する。
【００５８】
なお、第１実施形態と同一部材については、同一符号を付してその説明を省略する。
【００５９】
図１７に示されるように、この実施形態では第１実施形態のように、ドアパネル１２０には、シート材搬送直交方向に移動可能なスライド部材は設けられておらず、それに代えて、Ｌ字状の係合部材１２２が設けられている。
【００６０】
詳細には、ドアパネル１２０には、シート材搬送直交方向に延びるシャフト部材１２４が回転可能に設けられており、係合部材１２２はこのシャフト部材１２４の中間部に固定されている。また、シャフト部材１２４の両端部には、側方（シャフト部材１２４の軸方向）から見て、略三角形状の三角部材１２６が固定されている。
【００６１】
一方、二次転写ユニット１３０には、ドアパネル１２０に設けられた係合部材１２２が掛かる円柱状のシャフト部材１３２が、シート材搬送直交方向に延びて設けられている。なお、シャフト部材１２４には図示せぬトーションバネが設けられており、シャフト部材１２４は、シャフト部材１２４に固定される係合部材１２２が所定位置でシャフト部材１３２へ掛かるように付勢されている。
【００６２】
図１３、図１４、図１５に示されるように、一端部が画像形成装置１０の本体１０Ａに軸部１４０を中心に回転可能に軸支される長尺板状のレバー部材１４２が、二次転写ユニット１３０を挟むように二次転写ユニット１３０の両側面近傍に設けられている。また、このレバー部材１４２の他端部には、円柱状の突起部１４４が設けられ、この突起部１４４はドアパネル１２０に設けられるレール部材１５０に形成された長孔１５０Ａに移動可能に嵌められている。
【００６３】
閉止位置に配置されるドアパネル１２０が、開放されると、突起部１４４がレール部材１５０の長孔１５０Ａの一端から他端に向けて移動し、突起部１４４が三角部材１２６の一辺を押圧するようになっている。
【００６４】
詳細には、図１６（Ａ）（Ｂ）（Ｃ）に示されるように、長孔１５０Ａの一端から他端へ向けて移動する突起部１４４が、三角部材１２６の一辺を押圧することで、シャフト部材１２４が矢印Ｇ方向（図１６（Ｃ）参照）に回転する。シャフト部材１２４が回転することでシャフト部材１２４に固定された係合部材１２２も矢印Ｇ方向へ回転し、係合部材１２２がシャフト部材１３２から外れるようになっている。
【００６５】
次に本発明の第３実施形態に係る画像形成装置の一例を図１８から図２１に従って説明する。
【００６６】
なお、第２実施形態と同一部材については、同一符号を付してその説明を省略する。
【００６７】
図２１に示されるように、この実施形態では第２実施形態と違い、回転軸７４には、カム１６０が設けられている。さらに、このカム１６０のカム面１７２に一端部がコイルスプリング１６２の付勢力で付勢される棒状の棒部材１６４がドアパネル１７４に移動可能に設けられている。
【００６８】
詳細には、図１８に示されるように、棒部材１６４には、棒部材１６４の表裏を貫通する長孔１６４Ａが２個形成されており、ドアパネル１７４に固定されたピン１６６がこの２個の長孔１６４Ａに挿入されている。これにより、棒部材１６４が長孔１６４Ａの長手方向に沿って移動可能とされている。
【００６９】
さらに、前述したコイルスプリング１６２の一端は、棒部材１６４に形成されたピン部１６４Ｂに固定され、コイルスプリング１６２の他端は、ドアパネル１７４に固定されたピン１６８に固定されている。この構成により、棒部材１６４の一端部がカム面１７２に付勢されている。また、棒部材１６４の他端部には、基端部がシャフト部材１２４に固定されたレバー部材１７０の先端部が回転可能に取り付けられている。
【００７０】
さらに、ドアパネル１７４が開放位置へ移動した状態で、棒部材１６４の一端部が付勢されるカム面１７２には、側方（回転軸７４の軸方向）から見て直線状の直線部１７２Ａが設けられている。そして、棒部材１６４の一端部がこの直線部１７２Ａに付勢されることで、棒部材１６４が回転軸７４に近づくように移動する。
【００７１】
この構成により、図１８、図１９、図２０に示されるように、二次転写ユニット１３０及びドアパネル１７４を開放すると、一端部がカム面１７２に付勢された棒部材１６４が、カム面１７２に沿って移動する。ドアパネル１７４が開放位置へ到るまでの間に、棒部材１６４の一端部はカム面１７２の直線部１７２Ａに到達し、棒部材１６４が回転軸７４に近づくように移動する。
【００７２】
そうすると、棒部材１６４の他端部に回転可能に取り付けられたレバー部材１７０がシャフト部材１２４を中心に回転する。これにより、シャフト部材１２４及びシャフト部材１２４に固定される係合部材１２２が回転し、係合部材１２２がシャフト部材１３２から外れる。
【図面の簡単な説明】
【００７３】
【図１】本発明の第１実施形態に係る画像形成装置のドアパネル及び転写ユニットを示し、ドアパネルが閉止位置に配置された状態を示した斜視図である。
【図２】本発明の第１実施形態に係る画像形成装置のドアパネル及び転写ユニットを示し、ドアパネル及び転写ユニットが開放される途中を示した斜視図である。
【図３】本発明の第１実施形態に係る画像形成装置のドアパネル及び転写ユニットを示し、ドアパネルが開放位置に配置された状態を示した斜視図である。
【図４】本発明の第１実施形態に係る画像形成装置のドアパネル及び転写ユニットを示し、ドアパネルが閉止位置に配置された状態を示した拡大斜視図である。
【図５】本発明の第１実施形態に係る画像形成装置のドアパネル及び転写ユニットを示し、ドアパネル及び転写ユニットが開放される途中を示した拡大斜視図である。
【図６】本発明の第１実施形態に係る画像形成装置のドアパネル及び転写ユニットを示し、ドアパネルが開放位置に配置された状態を示した拡大斜視図である。
【図７】（Ａ）（Ｂ）（Ｃ）本発明の第１実施形態に係る画像形成装置のドアパネル及び転写ユニットに設けられた連結装置の動作を示した斜視図である。
【図８】（Ａ）（Ｂ）（Ｃ）本発明の第１実施形態に係る画像形成装置のドアパネル及び転写ユニットに設けられた連結装置の動作を示した断面図である。
【図９】本発明の第１実施形態に係る画像形成装置のドアパネル及び転写ユニットを示し、ドアパネルが開放位置に配置された状態を示した斜視図である。
【図１０】本発明の第１実施形態に係る画像形成装置のドアパネル及び転写ユニットを示し、ドアパネルが開放位置に配置され、転写ユニットが転写位置に配置された状態を示した斜視図である。
【図１１】本発明の第１実施形態に係る画像形成装置のドアパネル及び転写ユニットを示した側面図である。
【図１２】本発明の第１実施形態に係る画像形成装置を示した概略構成図である。
【図１３】本発明の第２実施形態に係る画像形成装置のドアパネル及び転写ユニットを示し、ドアパネルが閉止位置に配置された状態を示した斜視図である。
【図１４】本発明の第２実施形態に係る画像形成装置のドアパネル及び転写ユニットを示し、ドアパネル及び転写ユニットが開放される途中を示した斜視図である。
【図１５】本発明の第２実施形態に係る画像形成装置のドアパネル及び転写ユニットを示し、ドアパネルが開放位置に配置された状態を示した斜視図である。
【図１６】（Ａ）（Ｂ）（Ｃ）本発明の第２実施形態に係る画像形成装置のドアパネル及び転写ユニットに設けられた係合部材及びシャフト部材等の動作を示した斜視図である。
【図１７】本発明の第２実施形態に係る画像形成装置のドアパネル及び転写ユニットを示した側面図である。
【図１８】本発明の第３実施形態に係る画像形成装置のドアパネル及び転写ユニットを示し、ドアパネルが閉止位置に配置された状態を示した斜視図である。
【図１９】本発明の第３実施形態に係る画像形成装置のドアパネル及び転写ユニットを示し、ドアパネル及び転写ユニットが開放される途中を示した斜視図である。
【図２０】本発明の第３実施形態に係る画像形成装置のドアパネル及び転写ユニットを示し、ドアパネルが開放位置に配置された状態を示した斜視図である。
【図２１】本発明の第３実施形態に係る画像形成装置のドアパネル及び転写ユニットを示した側面図である。
【符号の説明】
【００７４】
１０        画像形成装置
１０Ａ      本体
１０Ｂ      開口部
３２        中間転写ベルト（画像形成手段）
６２        両面用搬送経路（記録媒体搬送経路）
７０        二次転写ユニット（転写ユニット）
７２        ドアパネル（開閉部材）
７４        回転軸（第１回転軸）
７６        フック部材（固定部材）
８２        ハンドル部材（固定解除部材）
９０        連結装置（連結手段）
９２        係合部材
９４        スライド部材（被係合部材）
９４Ａ      開口部
９６        押圧板（押圧部材）
９８        軸部（第２回転軸）
１００      レバー部材
１０２      突起部（操作部）
１０４      レール部材（保持部材）
１０４Ａ    長孔
１２０      ドアパネル（開閉部材）
１２２      係合部材（連結手段）
１２４      シャフト部材（解除手段）
１２６      三角部材（解除手段）
１３０      二次転写ユニット（転写ユニット）
１３２      シャフト部材（連結手段）
１４０      軸部
１４２      レバー部材（解除手段）
１４４      突起部（解除手段）
１５０      レール部材（解除手段）
１５０Ａ    長孔（解除手段）
１６０      カム
１６２      コイルスプリング（付勢部材）
１６４      棒部材（移動部材）
１７０      レバー部材
１７２      カム面
１７４      ドアパネル（開閉部材）
【図１】
0005071169.tif 000002
【図２】
0005071169.tif 000003
【図３】
0005071169.tif 000004
【図４】
0005071169.tif 000005
【図５】
0005071169.tif 000006
【図６】
0005071169.tif 000007
【図７】
0005071169.tif 000008
【図８】
0005071169.tif 000009
【図９】
0005071169.tif 000010
【図１０】
0005071169.tif 000011
【図１１】
0005071169.tif 000012
【図１２】
0005071169.tif 000013
【図１３】
0005071169.tif 000014
【図１４】
0005071169.tif 000015
【図１５】
0005071169.tif 000016
【図１６】
0005071169.tif 000017
【図１７】
0005071169.tif 000018
【図１８】
0005071169.tif 000019
【図１９】
0005071169.tif 000020
【図２０】
0005071169.tif 000021
【図２１】
0005071169.tif 000022